(57)【特許請求の範囲】
【請求項１】
コントローラと、円弧状スリット孔を隣接配置した筐体と、操作部材本体と、通信ケーブルと、取付け金具と、ブッシングを有し、前記円弧状スリット孔は隣接部分を切断することで前記ブッシングが装着できる略丸状の孔を形成し、前記操作部材本体と前記通信ケーブルは前記取付け金具に保持され、この取付け金具は前記筐体に取り付けることで、前記略丸状の孔に装着した前記ブッシングを固定するよう構成した電気温水器の操作部材。
【請求項２】
取付け金具はブッシングを固定すると同時に通信ケーブルをはさみ込む構成とした請求項１記載の電気温水器の操作部材。
【請求項３】
取付け金具はブッシングを固定すると同時に操作部材本体の一部が通信ケーブルをはさみ込む構成とした請求項１または２記載の電気温水器の操作部材。
【請求項４】
隣接した円弧状スリット孔を筐体の複数箇所に有した請求項１、２又は３記載の電気温水器の操作部材。
【請求項５】
取付け金具と筐体の隙間にシール材を有した請求項１〜４のいずれか１項記載の電気温水器の操作部材。
【発明の詳細な説明】
【０００１】
【発明の属する技術分野】
本発明は、主として電気温水器の操作部材に関するものである。
【０００２】
【従来の技術】
一般にこの種の電気温水器の操作部材は図９に示すように、機能を向上するための操作部材があり、ユーザーの要望があった場合には、一旦電気温水器の設置工事が完了した後でもこの電気温水器の筐体４２の外面にこの操作部材本体４１をビス４３にて取り付け、あらかじめ筐体４２に設けられた貫通孔４４に付属の通信ケーブル４５を通して内部のコントローラ４６に接続するようになっている。
【０００３】
こうすることによって、設置工事に時間のかかる電気温水器の機能性の向上が短期間でしかも経済的に実現できるようになっている。
【０００４】
またこの貫通孔４４にはブッシング４７があって、通信ケーブル４５を金属端面から保護するとともに雨水の進入を防止している。
【０００５】
貫通孔４４の近傍には通信ケーブル４５がケーブルホルダー４８とビス４９により固定されており、通信ケーブル４５とコントローラ４６との接続部に応力がかからないようにするとともに、通信ケーブル４５の貫通孔４４への進入方向が下向きとなって雨水が通信ケーブル４５を伝って筐体４２の内部に進入しないよう配慮している。
【０００６】
【発明が解決しようとする課題】
しかしながら、電気温水器にこの操作部材を取り付けない場合には上記貫通孔より雨水が筐体の内部に進入し、電気温水器を損傷するという課題があった。貫通孔には、操作部材を取り付ける時に使用するゴムブッシュを装着しているが、通信ケーブルを通さない場合には非常に外れやすいという課題があった。
【０００７】
操作部材を取り付けるためのビス孔とケーブルホルダー用のビス孔については、使用するビスをあらかじめ締め付けることで雨水の進入を防いでいるが、ビスの本数が多いのとビスを一旦取り外した後に再度締め付ける必要があり、ビスの締め付け不良を起こす確率が高いという課題があった。
【０００８】
【課題を解決するための手段】
本発明は上記課題を解決するために、コントローラと、円弧状スリット孔を隣接配置した筐体と、操作部材本体と、通信ケーブルと、取付け金具と、ブッシングと、ビスを有し、円弧状スリット孔は隣接部分を切断することでブッシングが装着できる略丸状の孔を形成し、操作部材本体と通信ケーブルは取付け金具に保持され、この取付け金具は筐体にビスにて取り付けることで、略丸状の孔に装着したブッシングを固定するよう構成されている。
【０００９】
上記発明によれば、電気温水器に操作部材を取り付けない場合においても筐体には通信ケーブル用の丸孔でなく、より開口面積の小さい円弧状スリット孔だけが開いているために雨水の進入は少なく、電気温水器の損傷を防ぐ事ができる。また、電気温水器に操作部材を取り付けた場合にもブッシングは工具なしには外せない構成であり、ブッシングが外れる事で起こる雨水の進入を防止できる。
【００１０】
また、操作部材と通信ケーブルは取付け金具に保持されており、この取付け金具を電気温水器の筐体に取り付ければ、通信ケーブルとコントローラとの接続部に応力がかからないようになるとともに、通信ケーブルの貫通孔への進入方向が下向きとなって雨水が通信ケーブルを伝って筐体内部に進入しないようになる。また、電気温水器の筐体には取付け金具を取り付けるためのビス孔だけがあればよく、ビスの再締め付けによる締め付け不良を起こす確率が高いという課題も改善される。
【００１１】
さらにまた、この円弧状スリット孔はヒトの指が入らない大きさにすることができ、不用意な指の挿入によるけがの防止にもなる。
【００１２】
【発明の実施の形態】
本発明の請求項１に記載した電気温水器は、コントローラと、円弧状スリット孔を隣接配置した筐体と、操作部材と、通信ケーブルと、取付け金具と、ブッシングを有し、円弧状スリット孔は隣接部分を切断することでブッシングが装着できる略丸状の孔を形成し、操作部材と通信ケーブルは取付け金具に保持され、この取付け金具は筐体に取り付けることで、略丸状の孔に装着したブッシングを固定するよう構成している。
【００１３】
そして、電気温水器に操作部材を取り付けない場合においても筐体には通信ケーブル用の丸孔でなく、より開口面積の小さい円弧状スリット孔だけが開いているために雨水の進入は少なく、電気温水器の損傷を防ぐ事ができる。また、電気温水器に操作部材を取り付けた場合にもブッシングは工具なしには外せない構成であり、ブッシングが外れる事で起こる雨水の進入を防止できる。また、操作部材と通信ケーブルは取付け金具に保持されており、この取付け金具を電気温水器の筐体に取り付ければ、通信ケーブルとコントローラとの接続部に応力がかからないようになるとともに、通信ケーブルの貫通孔への進入方向が下向きとなって雨水が通信ケーブルを伝って筐体内部に進入しないようになる。また、電気温水器の筐体には取付け金具を取り付けるためのビス孔だけがあればよく、ビスの再締め付けによる締め付け不良を起こす確率が高いという課題も改善される。さらにまた、この円弧状スリット孔はヒトの指が入らない大きさにすることができ、不用意な指の挿入によるけがの防止にもなる。
【００１４】
また、請求項２に記載した電気温水器は、取付け金具はブッシングを固定すると同時に通信ケーブルをはさみ込む構成としている。
【００１５】
そして、ケーブルホルダーとこのケーブルホルダーにより通信ケーブルを固定する構成が不要となり、作業時間の短縮と作業不良の防止、さらには部品の削減により経済性と省資源の効果が得られる。
【００１６】
また、請求項３に記載した電気温水器は、取付け金具はブッシングを固定すると同時に操作部材の一部が通信ケーブルをはさみ込む構成としている。
【００１７】
そして、ケーブルホルダーとこのケーブルホルダーにより通信ケーブルを固定する構成が不要となり、作業時間の短縮と作業不良の防止、さらには部品の削減により経済性と省資源の効果が得られる。
【００１８】
加えて、取付け金具を電気温水器の筐体に付けた状態で操作部材のみを外す場合に、通信ケーブルが自由に引き出せるようになり、通信部材の交換や修理の際の作業性が向上するとともに、電気温水器の筐体へビスを何度も締め付ける必要がなくなって、ビスの再締め付けによる締め付け不良を起こす確率が高いという課題が改善される。
【００１９】
また、請求項４に記載した電気温水器は、隣接した円弧状スリット孔を筐体の複数箇所に有した構成としている。
【００２０】
そして、ユーザーの要望や設置条件により操作部材を取り付ける位置が、ある程度の自由度を有して変えることができ、しかも部品を追加する必要もないことから施工性が大幅に向上する。
【００２１】
また、請求項５に記載した電気温水器は、取付け金具と筐体の隙間にシール材を有した構成としている。
【００２２】
そして、雨水の進入を全くなくすることが可能となるだけでなく、３次元形状のブッシングでなくより成形が簡単な棒状のシール材を使用できるようになるため製造工程が簡易化できる。
【００２３】
【実施例】
以下、この発明の実施例について図面を参照して説明する。
【００２４】
（実施例１）
図１は本発明の実施例１の操作部材を取り付けた電気温水器の断面図、図２は操作部材を取り付けた電気温水器の詳細図、図３は操作部材を取り付けた電気温水器の斜視図、図４は操作部材を取り付けない電気温水器の斜視図、図５は円弧状スリット孔の詳細図である。
【００２５】
図１において、１は略直方体の電気温水器の筐体であり、脚２により固定する設置工事がされている。筐体内部には、タンク３と断熱材４と給水パイプ５と給湯パイプ６と排水パイプ７と減圧弁８と逃がし弁９と排水栓１０がある。
【００２６】
１１はヒーターでありタンク３の水を加熱する手段であり、コントローラ１２により制御されている。１３は湯水混合カランであり、湯側接続口１３ー１には配管１４があって給湯パイプ６に配管接続工事がなされており、水側接続口１３ー２には、電気温水器の減圧弁８にも接続された給水配管１５があって上水道による水が供給されている。
【００２７】
電気温水器の筐体１の右側面中央部には図５に詳細を示す円弧状のスリット穴１６とビス穴１７があるが、開口面積を小さくすることで電気温水器内部に多量の雨水が進入しないようにしているとともに、円弧状スリット孔１６はヒトの指が入らない大きさで、不用意な指の挿入によるけがの防止も配慮している。
【００２８】
また、円弧状スリット孔１６には、外面側に耐候性のあるテープを貼りつけても良く、これにより雨水が全く入らないようにするとともに、円弧状スリット孔１６端面のかえりあるいはバリが外側に出てしまう場合の端面保護の効果もある。
【００２９】
ところで、昨今の電気温水器は湯を沸かす機能に加え、沸き上げる湯の温度を可変できる機能や、タイマーを使って経済的に湯を沸かす機能が付加されたものが多くなっており、ユーザーの要望もこれに合せて多様化しているのが現状である。ところが、前で示したような内容で、電気温水器を設置工事および配管工事をするには多くの人手と時間を要し、ユーザーの要望によってこれをやり直しすることは時間的にも経済的にも多大なロスを生むことになる。
【００３０】
そこで、電気温水器には機能を向上するための操作部材本体１８が用意されており、ユーザーの要望があった場合には、一旦電気温水器の設置工事が完了した後でも、筐体１の外面にこの操作部材１８を取り付け、通信ケーブル１９をコントローラ１２に接続することによって、電気温水器の機能性の向上が短期間でしかも経済的に実現できるようになっている。
【００３１】
操作部材本体１８は取付け金具２０にビス２１にて固定されている。通信ケーブル１９は操作部材本体１８の下方より出ており、一旦取付け金具２０の最下部の位置でケーブルホルダー２２とビス２３により固定されている。円弧状のスリット穴１６の隣接部分１６ー１は狭く、穴の端１６ー２はニッパーなどの刃先が入れやすいように開口を少し大きくして、隣接部分１６ー１が切断しやすい形状としている。
【００３２】
また隣接部分１６ー１を４箇所切断すれば略丸穴２４ができ、ここにゴムなどでできたブッシング２５を挿入できるようになっている。略丸穴２４には切断跡である突起が４箇所あり、これがブッシング２５の内側に食い込んで外れにくい構成となっている。取付け金具２０をビス２６により筐体１のビス穴１７の位置に固定すると、ブッシング２５を適度に圧縮し固定するようになって、ブッシング２５が外れる事で起こる雨水の進入を防止できる。
【００３３】
通信ケーブル１９はここより筐体１の内部に入れてコントローラ１２に接続するようになっており、これにより操作部材本体１８が機能し、沸き上げる湯の温度を可変できる機能、タイマーを使って経済的に湯を沸かす機能が付加される。
【００３４】
また、操作部材本体１８は室内にあるリモコンと無線通信できる機能があってもよく、この場合、リモコンが使用可能となって大きな機能性の向上が実現できるだけでなく、リモコンの配線工事が不要で、時間の面、経済的な面、省資源の面で大きな効果を生む事になる。
【００３５】
また、電気温水器の筐体１は直方体形状となっていて、この操作部材本体１８を取り付ける位置は右側面中央部だけでなく前方や左側面でもよく、円弧状のスリット穴１６を複数箇所に設けておけば、ユーザーの要望や設置条件により操作部材本体を取り付ける位置が、ある程度の自由度を有して変えることができ、しかも部品を追加する必要もないことから施工性が大幅に向上する。
【００３６】
（実施例２）
以下、この発明の実施例２について図面を参照して説明する。図６は操作部材を取り付けた電気温水器の詳細図である。
【００３７】
取付け金具２７の下部には開口部２７−１とその上部には突起部２７−２があって、電気温水器の筐体１に取付け金具２７をビス２８で固定すると、通信ケーブル１９は突起部２７−２ではさみ込み固定できるようになっている。
【００３８】
これにより、ケーブルホルダーとこのケーブルホルダーにより通信ケーブルを固定する構成が不要となり、作業時間の短縮と作業不良の防止、さらには部品の削減により経済性と省資源の効果が得られる。
【００３９】
（実施例３）
以下、この発明の実施例３について図面を参照して説明する。図７は操作部材を取り付けた電気温水器の詳細図である。
【００４０】
２９は操作部材本体で突起部２９−１を有し、取付け金具３０にビス３１で固定されている。電気温水器の筐体１に取付け金具３０をビス３２で固定すると、取付け金具３０はブッシング２５を押さえる部分３０−１と通信ケーブル１９を通す切り欠き開口部３０−２を有しており、操作部材本体２９の突起部２９−１で通信ケーブル１９をはさみ込み固定できるようになっている。
【００４１】
ユーザーの要望で操作部材本体２９を別の物に取り替える場合や、修理作業を行う場合には、ビス３１を外せば通信ケーブル１９が自由になって引き出せる構成である事から、操作部材本体２９のみを取り外せ作業性が向上するとともに、ビス３２を何度も着脱することでビスの締め付け不良を発生させて筐体１そのものを破損させることがない。
【００４２】
（実施例４）
以下、この発明の実施例４について図面を参照して説明する。図８は操作部材を取り付けた電気温水器の詳細図である。
【００４３】
取付け金具３３にはシール材３３−１があり取付け金具３３と筐体１に隙間に雨水が進入しないようにしている。この場合、筐体１の略丸穴２４にブッシングはなく、代わりに通信ケーブル１９には金属端面からの保護のため保護チューブ３４が挿入されている。
【００４４】
これにより略丸穴２４から筐体１４の内部への雨水進入が全くなくすることが可能となるだけでなく、３次元形状のブッシングでなくより成形が簡単な棒状のシール材３３−１を使用できるようになるため製造工程が簡易化できる。
【００４５】
【発明の効果】
以上の説明から明らかなように、本発明の電気温水器によれば、電気温水器に操作部材を取り付けない場合においても筐体には通信ケーブル用の丸孔でなく、より開口面積の小さい円弧状スリット孔だけが開いているために雨水の進入は少なく、電気温水器の損傷を防ぐ事ができる。
【００４６】
また、電気温水器に操作部材を取り付けた場合にもブッシングは工具なしには外せない構成であり、ブッシングが外れる事で起こる雨水の進入を防止できる。
【００４７】
また、操作部材と通信ケーブルは取付け金具に保持されており、この取付け金具を電気温水器の筐体に取り付ければ、通信ケーブルとコントローラとの接続部に応力がかからないようになるとともに、通信ケーブルの貫通孔への進入方向が下向きとなって雨水が通信ケーブルを伝って筐体内部に進入しないようになる。また、電気温水器の筐体には取付け金具を取り付けるためのビス孔だけがあればよく、ビスの再締め付けによる締め付け不良を起こす確率が高いという課題も改善される。
【００４８】
さらにまた、この円弧状スリット孔はヒトの指が入らない大きさにすることができ、不用意な指の挿入によるけがの防止にもなる。
【図面の簡単な説明】
【図１】本発明の実施例１の電気温水器の操作部材を示す断面図
【図２】同操作部材の一部断面側面図
【図３】同操作部材の取付状態を示す斜視図
【図４】同操作部材を取り付けていない状態を示す斜視図
【図５】同電気温水器の筐体に設けられた円弧状スリット孔の平面図
【図６】本発明の実施例２における電気温水器の操作部材の一部断面側面図
【図７】本発明の実施例３における電気温水器の操作部材の一部断面側面図
【図８】本発明実施例４における電気温水器の操作部材の一部断面側面図
【図９】従来例の電気温水器の操作部材を示す断面図
【符号の説明】
１  筐体
１２  コントローラ
１８  操作部材
１６  円弧状のスリット孔
１９  通信ケーブル
２０  取付け金具
２４  略丸穴
２５  ブッシング
３３−１  シール材
【図１】
0003829678.tif 000002
【図２】
0003829678.tif 000003
【図３】
0003829678.tif 000004
【図４】
0003829678.tif 000005
【図５】
0003829678.tif 000006
【図６】
0003829678.tif 000007
【図７】
0003829678.tif 000008
【図８】
0003829678.tif 000009
【図９】
0003829678.tif 000010